(57)【要約】  配合物（２）およびそれを分極する方法を述べる。これによって導電または絶縁軌道を形成することができる。該配合物は、溶媒の基質、および該基質中での分散からなる。該分散は、（ｉ）二重共有共役結合を有するポリマー（Ｍ）、すなわち環状構造に結合されたｎ個の炭素原子および異なるタイプの１つの原子から形成される複素環式化号物、および（ｉｉ）ポリマーの機能化要素（Ｑ１）からなり、電磁場との衝突によってポリマーの状態が絶縁体から導体へと変化するとともにその逆となる。
2013531075.tif 000002
【特許請求の範囲】
【請求項１】
溶媒の基質、および
前記基質中への分散物であって、
（ｉ）ポリマー（Ｍ）であって、二重共有共役結合、すなわち環状構造に結合されたｎ個の炭素原子および異なるタイプの１つの原子から形成される複素環式化号物を有するものと、
（ｉｉ）前記ポリマーの機能化要素（Ｑ１）であって、前記ポリマーの状態を絶縁体から導体、および導体から絶縁体へと、電磁場の衝突により、変化するものとを含むもの、
とからなる配合物。
【請求項２】
前記ポリマーはチオフェンおよび／またはブタジエンからなる、請求項１に記載の配合物。
【請求項３】
前記分散物は、黒鉛、特にグラフェンおよび／またはフラーレンを含むものである、請求項１または２に記載の配合物。
【請求項４】
前記分散物は、クオーツ（Ｑ１、Ｑ２）を含むものである、前記請求項のいずれかに記載の配合物。
【請求項５】
前記分散物は、
（ｉ）ポリマーを機能化するクオーツの粒子（Ｑ１）、および
（ｉｉ）圧電効果によって、基質との間で電荷を、与えもしくは受け取るクオーツの粒子（Ｑ２）からなる、請求項４に記載の配合物。
【請求項６】
前記分散物は、ＢａＴｉＯ３またはＰｂＴｉＯ３またはＴｉＯ３基を有する要素を含むものである、請求項５に記載の配合物。
【請求項７】
前記機能化クオーツの分散物は２０ｎｍ以下の粒径を有するとともに／あるいは、電荷の供与／受容クオーツは６００〜７００ｎｍから約１μｍの範囲の粒径を有する、請求項５または６に記載の配合物。
【請求項８】
前記溶媒はベンゼン、特にジクロロベンゼンまたはジクロロメタンからなる、前記請求項のいずれかに記載の配合物。
【請求項９】
前記溶媒は酢酸ビニルまたはビニルエステル基を含む、前記請求項のいずれかに記載の配合物。
【請求項１０】
前記分散は着色顔料を含むかあるいは含まない塩化鉄または塩化アルミニウムからなる、前記請求項のいずれかに記載の配合物。
【請求項１１】
表面の電荷の伝導回路の作成方法であって、
請求項１に記載の配合物の、層（２）の表面（Ｌ）への塗布、および
電磁場（Ｒ）の適用によってポリマーエネルギーパケットの電気抵抗を導電から絶縁およびその逆に修正することによる配合物（２）の経路または領域の分極化またはプレ分極化、からなる方法。
【請求項１２】
電磁場の生成にレーザーを用いる、請求項１１に記載の方法。
【請求項１３】
前記電磁場の周波数および／または強度を変動し、前記基質中の異なる深度の複数の平行な平面に導電経路を作る、請求項１１または１２に記載の方法。
【請求項１４】
配合物の層が塗布される前記表面に付着増強層を配置する、請求項１１から１３のいずれかに記載の方法。
【請求項１５】
前記配合物の層の上に仕上げ層を塗布する、請求項１１に記載の方法。
【請求項１６】
前記配合物の層を噴射またはローラーを用いることで塗布する、請求項１１から１５のいずれかに記載の方法。
【請求項１７】
請求項１から１０で定義される配合物からなる層からなる表面に貼付可能なフィルム（ＶＭ）。
【請求項１８】
請求項４から１０に記載の配合物への圧力の印加、および
配合物内での分極によって得られる導電経路による、配合物の内側で生成された電荷の外側への取り出し、からなる信号または電流の生成方法。
【請求項１９】
不連続な、正負の、または周期的な圧力を印加する、請求項１８に記載の方法。
【請求項２０】
道路または通行可能な経路の表面へ配合物を塗布し、
移動中の車両または歩行者の経路を配合物の圧力要素（ＦＧ）として用いるとともに、
配合物から電流インパルスを収集する、請求項１８または１９に記載の方法。
【請求項２１】
押しボタン、キー、または英数字キーボードとして機能する領域を請求項４から１０に記載の配合物で作るとともに、
該領域にはたらく機械的押圧によって生成する電荷に関連する信号を処理する、請求項１８または１９に記載の方法。
【請求項２２】
前記配合物をボートの船体に塗布し、波の動きを電力生成用の押圧作用因として用いる、請求項１８または１９に記載の方法。
【請求項２３】
請求項４から１０に記載の配合物の層からなる、押しボタン、キー、または英数字キーボードとして機能する領域。
【請求項２４】
請求項４から１０に記載の配合物であって、
表面に塗布し、交流電力による励起で、外側からの分極により導電化するものを、
提供すること、からなる表面を振動させる方法。
【請求項２５】
前記配合物をボートの船体に塗布するとともに、
交流電力を配合物に供給することで水の近傍で振動させ、振動によって水を船体から離す、請求項２４に記載の方法。
【発明の詳細な説明】
【技術分野】
【０００１】
本発明は主に、任意の表面での導電回路および／または信号または電流の形態の電荷発生器の作成のための手順、およびこのような手順で用いる電気回路に関する。
【背景技術】
【０００２】
表面または系に配線することは費用が掛かり、労力の要る作業であることが知られている。用いるケーブルの長さの長大さだけでなく、そのコストおよび重量もしばしば完成品に大きく影響し、時にはその生産が無益となる。
【発明の開示】
【０００３】
本発明は、例えば住宅分野、自動車工業またはその他の分野において、この問題を解決するものである。
【０００４】
本発明の目的は、家、車両、ボート等の壁または表面の１つの点から別の点への電圧および／または電流での信号または指令の伝達のためのシステムであって、該壁または表面に絶縁導電体のワイヤー、ケーブルまたは指令を組み込む必要の無いシステムの実現である。
【０００５】
別の目的は、この場合、ワイヤー、ケーブルまたは指令を組み込む必要の無い電圧および／または電流での信号または指令の生成である。
【０００６】
このような目的は、添付の請求項１に係る配合物によって達成される。配合物の特異的な構造によって、容易で確実な分極および復極が可能となり、これによってその中に導電または絶縁経路を選択的に生成する。
【０００７】
このような目的のために、本発明は請求項１１に係る分極方法を提示する。
【０００８】
この配合物は液体またはゲルの形態で媒体に直接、または分離したフィルムまたは硬質あるいは柔軟な支持層を用いて適用される。
【０００９】
別の使用形態は、請求項２３による作業者のための接触または感圧接触層である。
【００１０】
電気または機械的振動（請求項１８または２４参照）等の配合物の電気的仕様の開発方法が本発明の一部を形成する。
【００１１】
全ての従属請求項は有利な実施形態を定義するものである。
【００１２】
本発明の特徴および利点は、添付の図面によって以下の好ましい実施形態の記述で示される。
【発明を実施するための最良の形態】
【００１３】
図１に関して、金属箔または他の材料からなる媒体Ｌの塗装可能な表面への電気回路または経路の作成手順について述べる。
【００１４】
粘着能力を向上された任意の塗料からなる適当な厚さの少なくとも１つの層１が、媒体Ｌの導電または絶縁性の大小に関して、わずかな間隙を除去するとともに絶縁するために用いられる媒体Ｌの表面に付着される。
【００１５】
表面Ｌが金属シートの場合、層１は約０．０００１〜１ｍｍの厚さでありうる。表面Ｌがあまり導電性ではない、例えば木材、プラスチック、樹脂あるいは他の導電性が低いまたは絶縁性の材料である場合、層１は０．０００１〜０．７ｍｍに厚さを制限されうる。
【００１６】
厚さの削減は塗料のスプレー塗布と両立可能であるとともに、塗装技術に依存して変動しうることは明らかである。例えば、層１をローラーで塗布する場合、層の厚さはこのような塗装方法を用いて達成されるものと両立するであろう。
【００１７】
基層１の上に、金属酸化物を含む塗料２の少なくとも１つの第２の層が塗布される。これらの酸化物は、以下で述べるようにマトリクスにおいて電子を利用可能とできるので重要である。
【００１８】
以下で述べる要素全てを分散して含む層２は、概して溶媒、好ましくは芳香族でありうる。特にベンゼンの使用が好ましく、ジクロロベンゼン（チオフェンをよく溶かすため）、ジクロロメタンまたはニトロ型希釈剤が好ましい。
【００１９】
金属酸化物とともに、例えば黒鉛等のさらなる成分がありうる。黒鉛は主にその高い導電性のために優秀なドーパントである。加えて、該成分によって層２全体の性質が油性となり、それによって乾燥せずに常に一定の流動性が維持される。
【００２０】
その結果、例えばＵＢ線への暴露によっても長い年月の後であっても剥離しない。特に標識された黒鉛のサブファミリーの、フラーレンやグラフェン等が、その性質が強調されて非常に有利である。
【００２１】
金属酸化物は、例えば酢酸ビニルまたはビニルエステル基材塗料のマトリクス内でランダムな方式で自由に分散させることができる。
【００２２】
あるいは金属酸化物は、二重共有結合型の共役結合を有するポリマーマトリクス、すなわち環状構造で連結されるｎ個の炭素原子および１つの異なる型の原子から形成される複素環式化合物中で分散してもよい。
【００２３】
これらのポリマーの有利な族の１つはブタジエンであり、これは非常に安定した分子である。
【００２４】
ポリマーの別の有利な族はチオフェンであり、これはビニルを置換する。チオフェン分子は以下に示すように層状の方式での自身の位置決めの特有の性質を有し、平面上で重ならない。さらに、チオフェンの硫黄原子はマトリクスに対する多くの電子親和性を有する。実際には、チオフェンは重合段階において単量体鎖の間の結合剤としてはたらく硫黄の自由原子を有する。
【００２５】
チオフェンおよびブタジエンをマトリクス内で混合してもよい。
【００２６】
前記のポリマーおよび黒鉛をマトリクス内で金属酸化物と協同してもよい。しかし、該ポリマーの１つ以上を酸素の援助なしで、および／またはその代わりにマトリクス内でそれのみで用いることもできることに留意すべきである（有効に残った基質の残りの記述も同様）。
【００２７】
着色顔料を含むかあるいは含まない塩化鉄または塩化アルミニウムを金属酸化物およびポリマーに加えるか、またはその１つまたは２つをそれのみで用いることができる。このような塩化物は高度に投与されるとともに、後述するヒステリシス現象を除去するとともに電子を放出／受容する標識能力を有するため便利である。特に、塩化鉄または塩化アルミニウムは塩素に溶解された酸化物であり、可塑性であるチオフェンによく溶解する。優れた均質化によって電子レベルでの最適な伝達が確実となり、ポリマー（例えばチオフェン）への電子の交換に有利となる。
【００２８】
金属酸化物は、例えばその向上された磁性／飽和度曲線のために、Ｆｅ２Ｏ３またはＦｅ３Ｏ４の組成の酸化鉄あるいはよりよいもの、あるいはＣｒＯ２の組成の酸化クロムまたは二酸化クロムで構成される。
【００２９】
金属酸化物は黒鉛および／またはポリマーとともに、電流または電子信号のタイプにつりあう量の塗料のマトリクスまたは基質内で分散する。該塗料は導電性でなければならない。限定しない例として、塗料の立方メートルあたりの黒鉛を有する金属酸化物の約１３５０ｃｍ３の割合の分散が推測されるとともに、噴射、ローラーまたは他の既知の方法による塗料の塗布が可能となる。ナノ構造において黒鉛を有する金属酸化物を用いることでも優れた結果が得られる。
【００３０】
層２が噴射で塗布される場合、０．００１〜１ｍｍの厚さが示され、ローラーまたは他の方法を用いた場合は、層はより厚くなりうる。少なくとも１つの仕上げ層３が層２の上に塗布される。
【００３１】
この第３の層３は噴射、ローラーまたは他の技法で塗布してもよく、その厚さは０．０１〜１ｍｍ（下記参照）で変動しうる。層３は同様のビニルまたはポリマーマトリクス（前記）、および／または層３が大気作用物質に対する良好な保護特性および良好な外部への絶縁特性を持つような産物で形成される。
【００３２】
図１のように作られる多層塗料面ＶＭにおいて、付随の説明（図２）のように仕上げ塗料４が塗布されうる。ここで塗料面ＶＭの上層３において有効に増強された付着面が見られる。
【００３３】
しかし、多層塗料ＶＭ処理に、図２ａに示すように既に前記の仕上げ塗料４とともに供された媒体Ｌが塗布されることを防止するものはない。この場合、多層塗料面ＶＭは透明または有色でありうるとともに、装飾および／または観賞目的を含むストリップ、島状または他の形状のフィルムの形態でありうる。多層ＶＭ面は媒体に添付されるフィルムに類似するものである。
【００３４】
前記の塗装手順の後に、直線経路または分極領域が、金属酸化物を黒鉛とともに含み隣接する領域に対し導電性であるとともに絶縁される塗料２の中間層に作られ、電流、電圧または信号の形態の電荷が通過する。
【００３５】
この手順のために例えば図３のようなレーザーまたは偏向子Ｐを用いてもよく、これは強磁性核６上にエアギャップ７とともに巻回される少なくとも１つのリール５を有するとともに、目的に適した電圧および周波数を生成する振動子８に接続される。
【００３６】
偏向子Ｐは良好な携帯性および取扱性を有するとともに、自身のバッテリーおよび外部電力供給の両方を動力とすることができる。偏向子Ｐは周波数ゼロの磁場をそのエアギャップ７に供給する必要があり、直流供給ありは１６ＫＨｚ以上の可変周波数（下記参照）によって達成できる。
【００３７】
偏向子Ｐのエアギャップ７を多層塗料面ＶＭに接近させることで、図３に示すように、金属酸化物、ポリマーおよび／または黒鉛を有する中間層２に電磁場を誘導することができ、外側から組み付けられた分極のタイプに依存するとともに層２で用いられる黒鉛を有する酸化物のタイプに関する可変オーム抵抗を有する整列された双極子を有する領域を層２内に生成することが可能である。該抵抗は数オームから数千オームまで変動しうる。
【００３８】
偏向子Ｐのヘッド５・６が塗装面ＶＭ上を、例えば図３の矢印Ｆの方向に、発明の適用のタイプにより、可変かつ既定の速度で通過し、電荷を有しないとともに黒鉛を有する金属酸化物の一部であり、分極の磁場の動きを経路９内で移動させる、経路９に隣接する領域１０・１１０から来る黒鉛を有する金属酸化物の整列された双極子１０９の存在を特徴とする、磁場の影響を直接受ける少なくとも１つの経路９が層２内に生成される（図４参照）。
【００３９】
領域１０・１１０は一面に経路９、および整列されていない酸化物を含む最外領域１１・１１１への誘電性として機能する強い電気抵抗を有する不感帯を生成し、これによって経路９に電荷の導体としての望ましい機能を与えるとともに、経路９が適用され作られる表面から電気的に絶縁される。
【００４０】
前記の分極手順は、適度な電圧および可変の周波数で、そして層２が重合または硬化段階にある際に表面ＶＭ上に介在する場合は限定した回数で行ってもよく、電子および物理の観点から黒鉛を有する酸化物の粒子をより容易に磁化および整列するとともに、領域１０・１１０から偏向子Ｐのヘッド５・６に誘導される電磁分極場に直接影響される領域９へと移動してもよい。
【００４１】
しかし、塗料が乾燥または重合している場合であっても、同じ周波数で上に示すものより大きい磁場を用いて導電経路９を多層塗料ＶＭの中間層２に形成することができる。偏向子Ｐの変動する電圧および異なる周波数を用いて、単一活性層２内に、層２の異なる深度で延伸する多経路を生成することができる。これらは前記発生器Ｐの異なる値の変化および周波数で生成される。
【００４２】
ソケットおよび／または他の適当な手段を導電経路９に接続することで、図４の矢印１２・１１２で模式的に示すように、電流または信号の形態の電荷をある領域から同一経路９の別の領域へ伝達することができる。
【００４３】
電圧およびギガヘルツの大きさへ変動可能な分極周波数で前記の偏向子Ｐ（またはレーザー）を用い、経路９に沿って画像信号を伝達することができると思われる。計画の第１の部分では弱い電流および電圧が経路９に沿って伝達されると考えられていたが、塗料の層１・３を厚くすることで、通常は３０ｍＡから５０Ｈｚの範囲で確立される分散および電気ショックに対し適切かつ安全なインピーダンス遮断が可能となる。
【００４４】
層２の垂直な断面を示す図５からの類推より、明らかに、層２の酸化物の分極は機械的分子移動を要せず、単に分子の異なる状態である。分子Ｍは例えば金属酸化物であるとともにドーパントＤは黒鉛であり、あるいは分子Ｍはポリマー（例えばチオフェンまたはブタジエン）であるとともにドーパントＤは金属酸化物である。層２のマトリクスの組成に依存して、役割および重量における割合を取り替えてもよい。
【００４５】
電磁放射Ｒの動作（レーザーまたはエアギャップによって生成される電磁場による）は、等式Ｅｎｅｒｇｙ＝ｈ＊ｖに係る正しいエネルギーを送る分子Ｍを活性化または不活性化するものである。これらが活性化される際（破線Ｅ）、その電子状態が変化するとともにこれらは導体となる。
【００４６】
視覚的に、規則的に配列された分子Ｍの間に導電性の“橋”が生成されると仮定することができる。例えば分子Ｍが静止状態のポリマーの場合、それは誘電体のようにふるまう。エネルギーが加わると、電子がポリマーの分子Ｍから追い出され、イオンになるとともに導電する。
【００４７】
追い出された電子は分散した電子雲の内側を周回する。
【００４８】
状態Ｅの活性化された分子とともに、層２の活性化された区画を含む外部回路ＣＲが閉じられ、電流の循環を可能とする。
【００４９】
その後の放射Ｒが、エネルギーを活性化された分子Ｅへ放射する。前記の酸化物の場合、これらは自身を不安定な状態に配置し、絶縁体としての元の配置を再び得ることでそこから脱する。分子Ｅがポリマーの場合、導電状態に戻るのにより多くのエネルギーでも充分でなく、原子的に非常に近接したアフィン要素Ｄが必要であり、反重合エネルギーが現れる際に追い出された電子を捕らえポリマーに戻す（これによってポリマーの分子は要素Ｄによって機能化される）。このような目的に適した要素は石英であるが、他の材料をこのような目的に用いてもよい。
【００５０】
大きさが少なくとも２０ＫＯｈｍの少なくとも外側層３の面インピーダンス値によって、前記の規制値内の電流の必要な防護が確実となる。層３の０．３〜０．５ｍｍの厚さによって、名目上の幹線電圧および周波数における経路９での数十アンペアの電流の通過に対する絶縁の必要な保証および使用者の安全を、直流および交流の移送の可能性とともに提供することができる。
【００５１】
例えば金属酸化物および黒鉛を有する塗料２の同一の中間層において、単一の塗布であってもこのような目的のために適当に構成された偏向子Ｐのヘッドの作用周波数および電圧を修正する複数の導電経路９が作成されうるとともに、このような経路または領域は重複しても関連する配置を有しうる（すなわちそれらは重複しても平行な平面に異なる方向で配置される）ことを規定すべきである。
【００５２】
前記の塩化物は分子Ｍ・Ｅの状態の移行の間の通過を促進する機能を有し、非常に低い反応速度をもたらしうるヒステリシス現象を防止する。
【００５３】
最後に、本発明の範囲内において、繰り返されることで、例えば金属酸化物および黒鉛を有し、重複および／または交差さえする関連する配置において経路または領域９が形成されうる層３によって互いに絶縁される複数の導電層２を有するウエハーを形成する、それぞれの頂部の塗料の複数の層が使用される可能性があることを規定すべきである。
【００５４】
必要な場合、あるいはサービスのために適当な寸法が必要な場合には、ナノ構造でクオーツに基づく充填材を、金属酸化物（および黒鉛）、場合によっては、塩化鉄、過塩化鉄で表面処理されたもの、あるいは塩化アルミニウムを、塗料の混合物に加えてもよい。
【００５５】
前記ポリマー、特にチオフェンおよびブタジエンをクオーツとともに混合物に加える。しかし金属酸化物および／またはポリマーを単独で用いることができることを忘れてはいけない。
【００５６】
特に、塗料混合物に金属酸化物または単に１つ以上の前記ポリマー、好ましくはチオフェン、およびクオーツに基づく充填材（その１９の族の１つ以上）、特にＢａＴｉＯ３またはＰｂＴｉＯ３を加えてもよい。ＴｉＯ３を有する配合物は、非常に付着効力があり乾燥しないとともに自由電子を小さいエネルギーで利用できるという利点を有する。
【００５７】
分極可能状態を提供する（すなわちその導電能力を外部放射によって選択的に変更可能である）クオーツを有する前記の混合物は、クオーツの特異的な性質によって得られる独自の圧電性を獲得する。
【００５８】
これによって、前記塗料において現場の信号または電流の生成が可能であり、指または重りＦＧ（図６参照）または他のシステムによって加圧される（この機能を含む表面は適当な図面によって有用に外部に視覚化されうる）。
【００５９】
層２において異なる粒子サイズのクオーツが、好ましくは分散する。Ｑ１で示される１つは非常に細かく、ほぼ２０ｎｍの粒子寸法である。もう一方のＱ２はより大きく、６００〜７００ｎｍから約１μｍの範囲の寸法である。概して、Ｑ１とＱ２との間で差の大きさが少なくとも１桁の粒径が選ばれうる。
【００６０】
Ｑ１は基本的にポリマーへの電荷の担体として用いられ活性化状態を変化させ、Ｑ２は電圧／電流発生器として用いられる。
【００６１】
クオーツが加圧されると、電流のインパルスが発生する（放電するコンデンサーのように）とともに、層２に分散したＱ２についても同様である。そして、物体ＦＧの押しによって、層２を経て広がる電流が発生する。
【００６２】
概して２つの可能性が存在する。層２の分子Ｍ（例えばチオフェン）が活性化され（Ｅ状態）導電性となると、電流は該分子に捕集され回路ＣＲを介して外部へ向けられる。しかし分子Ｍが不活性化状態（導電性でない）の場合、電子状態は外部の作用無しで平衡へと再集合する。
【００６３】
クオーツＱ１およびＱ２の異なる機能を述べる。
【００６４】
クオーツＱ１は、機能的に類似の要素（例えば電子伝達のヒステリシスを低下させる塩化物）と入れ替え可能であり、チオフェンと電子のやり取りをする機能化要素、すなわちチオフェンが不活性で、または不活性化不能でなく電子的に残ることのない電荷の輸送手段として用いられる。別の利点はＱ１が最終化合物を油性し、乾かないことである。
【００６５】
クオーツＱ２は電圧／電流発生器としてのみはたらくが、Ｑ１には依存しない。クオーツＱ２は、機械的圧力を受けた場合における電荷の発生および、励起されたポリマー鎖Ｅにより電子インパルスを受けた場合における振動の両方に用いられる。
【００６６】
上記と同様に、どのように分子Ｍの分極がスイッチにように、層２による電子の発生を制御可能とするかを知ることができる。
【００６７】
物体ＦＧの連続した圧力は無制限な電流ではなく、ただインパルスを発生する。層２を定期的に押圧し解放することで、脈動電流を発生する。例えば押圧物体ＦＧが層２の表面に移ると、可動力が分散したクオーツＱ１に加わる。層２において応力を受ける個々の局所領域が電流を発生し、応力が消えると再充填される。
【００６８】
特に、層２上の空間的に様々な可変の圧力によって、局所的に電流のインパルスが発生し、これらが合わさってほぼ連続的な全体電流が得られる。
【００６９】
道路への塗装について考える。通過中の車両は層２上で移動押圧器ＦＧとしてはたらく。塗料の個々の小片はまず車両に押圧され、それから解放される。個々の押圧において小片は電流のインパルスを発生する。層２は外部回路ＣＲ（図６）への接続のみを要し、全てのインパルスを収集し、それは実質的に無料の電力である。
【００７０】
前記の分極によって一定の経路を生成することだけで、層２からの電流出力を確定させることが容易であることが特筆される。同様に、前記の流れは、層２の区画で分極が解消されることによって遮断できる。
【００７１】
よって、本発明により、押しボタン、キー、カーソル、英数字キーボードまたは他の塗装の上から直接操作する手段の生成が可能となる。それは、塗料によって外側にかたどられた領域上への機械的圧力によって生成された電気信号が、既に見られた同様のプログラム論理によって、黒鉛を有する金属酸化物充填材の分極によってそれに割り当てられた経路に沿って流れるためである。
【００７２】
層２のクオーツＱ２も機械的動作に用いることができる。
【００７３】
層２が分極される場合、分子Ｅは電荷を、マトリクス内で絶縁されたままであろうクオーツＱ２へ伝達することができる。外部から交流電圧を層２に与えることで、クオーツＱ２を選択的に活性化しかけられた周波数で振動させることができる。
【００７４】
振動発生領域を塗装上に（分極によって）随意に設計することができることが驚くべき結果である。あるいは、またはさらに、特定のクオーツが利用可能な電気的励磁を用いて、随意に選択された領域で振動を活性化することができる。
【００７５】
例えばボートの竜骨を塗料（または層２）で被覆することを考える。波の動きによって前記の効果により電力が発生する（波の周期的な動き＝層２上の周期的な押圧＝層２から出る電流）だけでなく、事前の分極によって容易にプログラム可能な点または領域で層２への適当な周波数での電力供給によって水との接触で層２が振動するであろう。振動によって水が竜骨から離れ、ボートはより速く移動するであろう。
【００７６】
最後に、有色または透明なプラスチックフィルムの形態で用意することができる塗料の層の形態で作られ、もしくは黒鉛および／またはクオーツ（前記のクオーツＱ１に対応）とともに金属酸化物および／またはポリマー（例えばチオフェン）を有する層２であって、該金属酸化物および黒鉛および／またはクオーツは塗料の基層へ付着手段を用いて塗布可能であり、必要であれば既に分極されているとともに仕上げ塗料で被覆可能な層による振動も、本発明の範囲に含まれる。
【図面の簡単な説明】
【００７７】
【図１】本発明に係る導電塗料による表面への塗料の層の遷移を示す。
【図２】仕上げ塗料を用いた塗料の層を示す。
【図２ａ】仕上げ塗料を用いた塗料の層を示す。
【図３】本発明に係る塗料で処理した表面の分極によって導電経路または分野を作る手順および手段を模式的に示す。
【図４】塗料の層での図３の分極手順の物理的結果を模式的に示す。
【図５】帯電した塗料の層の断面を模式的に示す。
【図６】帯電した塗料の層の断面を模式的に示す。
【図１】
2013531075.tif 000003
【図２】
2013531075.tif 000004
【図２ａ】
2013531075.tif 000005
【図３】
2013531075.tif 000006
【図４】
2013531075.tif 000007
【図５】
2013531075.tif 000008
【図６】
2013531075.tif 000009
【国際調査報告】
2013531075.tif 000010
2013531075.tif 000011